(57)【要約】【課題】美観を損なう可能性を低減させることができると共に構成を簡易にすることができる物品支持具及び支持部品を提供する。【解決手段】一実施形態に係る物品支持具は、物品を支持する支持面Ｗに取り付けられる物品支持具であって、物品を支持する支持部品１２と、支持面Ｗに支持部品１２を貼り付ける粘着テープ３と、粘着テープ３から延びると共に支持面Ｗと支持部品１２との接着部分からはみ出す摘まみ部７と、を備え、摘まみ部７は、粘着テープ３に対して折り曲げ可能とされており、支持部品１２は、折り曲げられた摘まみ部７を保持する保持部１６を有する。【選択図】図８
2020174915.tif 000002
【特許請求の範囲】
【請求項１】
物品を支持する支持面に取り付けられる物品支持具であって、
物品を支持する支持部品と、
前記支持面に前記支持部品を貼り付ける粘着テープと、
前記粘着テープから延びると共に前記支持面と前記支持部品との接着部分からはみ出す摘まみ部と、
を備え、
前記摘まみ部は、前記粘着テープに対して折り曲げ可能とされており、
前記支持部品は、折り曲げられた前記摘まみ部を保持する保持部を有する、
物品支持具。
【請求項２】
物品を支持する支持面に取り付けられる物品支持具であって、
物品を支持する支持部品と、
前記支持面に貼り付けられる保護シートと、
前記保護シートに前記支持部品を貼り付ける粘着テープと、
前記粘着テープから延びると共に前記保護シートと前記支持部品との接着部分からはみ出す摘まみ部と、
を備え、
前記摘まみ部は、前記粘着テープに対して折り曲げ可能とされており、
前記支持部品は、折り曲げられた前記摘まみ部を保持する保持部を有する、
物品支持具。
【請求項３】
前記保持部は、折り曲げられた前記摘まみ部が挿入される挿入部を有し、前記挿入部に挿入された前記摘まみ部を保持する、
請求項１又は２に記載の物品支持具。
【請求項４】
前記支持部品は、前記粘着テープを備えるベース部と、物品を支持すると共に前記ベース部に着脱可能とされたフック部と、を含んでおり、
前記保持部は、前記ベース部に設けられている、
請求項１〜３のいずれか一項に記載の物品支持具。
【請求項５】
前記保持部は、前記ベース部の前記粘着テープとの反対側の面に設けられており、前記面と前記保持部との間に挿入された前記摘まみ部を保持する、
請求項４に記載の物品支持具。
【請求項６】
前記支持部品は、一部品で構成されており、前記粘着テープを保持すると共に物品を支持する、
請求項１〜３のいずれか一項に記載の物品支持具。
【請求項７】
物品を支持する支持面に取り付けられる支持部品であって、
前記支持面に前記支持部品を貼り付ける粘着テープから延びており前記支持面と前記支持部品との接着部分からはみ出すと共に折り曲げられた摘まみ部を保持する保持部を備える、
支持部品。
【発明の詳細な説明】
【技術分野】
【０００１】
本開示の一側面は、物品支持具及び支持部品に関する。
【背景技術】
【０００２】
従来から、物品を所定の箇所に支持する物品支持具については種々のものが知られている。特許文献１には、フック状の物品支持部分を有する物品支持部材と、垂直な壁面、窓、又はキャビネット等の基材に物品支持部材を剥離可能に接着する接着性ストリップとを備えた物品支持アセンブリが記載されている。接着性ストリップは、引き伸ばし剥離可能であって、接着部分と、非粘着性のプルタブ部分とを含む。接着部分は物品支持部材を基材に接着する接着剤を有し、非粘着性のプルタブ部分は接着部分から外方に延び出している。プルタブ部分を基材に沿って引き伸ばすことによって接着部分及び物品支持部材が基材から引き剥がされる。
【０００３】
特許文献２には、物品支持装置が記載されている。物品支持装置は、フック状の物品支持部を有する支持本体と、支持本体に移動可能に連結されるカバー部材とを備える。支持本体の裏面には引き伸ばして剥離可能な粘着テープが設けられており、粘着テープからは粘着テープを剥離可能とする摘まみ部分が延び出している。摘まみ部分は、支持本体の長手方向の一端から外方に突出している。カバー部材は支持部材から突出する摘まみ部分を隠蔽する主部分を有し、主部分は摘まみ部分を隠蔽する第１位置と、摘まみ部分を露出する第２位置との間で移動可能とされている。
【先行技術文献】
【特許文献】
【０００４】
【特許文献１】特表２０１３−５４０４５７号公報
【特許文献２】特開２００３−５２５２２号公報
【発明の概要】
【発明が解決しようとする課題】
【０００５】
前述した物品支持アセンブリでは、非粘着性のプルタブ部分が接着部分から外方に延び出しており、接着に寄与しないプルタブ部分が露出している。物品支持アセンブリを使用する使用者からは露出しているプルタブ部分の意匠性が良くないという声が挙がっており、プルタブ部分が物品支持アセンブリの美観を損ねていると感じさせることがある。このため、使用者によってプルタブ部分が切断されるケースがあり、プルタブ部分が切断されると接着部分及び物品支持部材の引き剥がしが困難となりうる。
【０００６】
前述した物品支持装置は、支持本体とカバー部材とを備えており、カバー部材の主部分が第１位置に移動することによって粘着テープから延び出している摘まみ部分が隠蔽される。しかしながら、この物品支持装置では、支持本体とは別に設けられたカバー部材が第１位置と第２位置との間で移動する可動式となっている。よって、部品点数が多く構成が複雑であり、操作しづらいという問題が生じうる。
【課題を解決するための手段】
【０００７】
本開示の一形態に係る物品支持具は、物品を支持する支持面に取り付けられる物品支持具であって、物品を支持する支持部品と、支持面に支持部品を貼り付ける粘着テープと、粘着テープから延びると共に支持面と支持部品との接着部分からはみ出す摘まみ部と、を備え、摘まみ部は、粘着テープに対して折り曲げ可能とされており、支持部品は、折り曲げられた摘まみ部を保持する保持部を有する。
【０００８】
前述した形態に係る物品保持具では、物品を支持する支持面に粘着テープを介して支持部品が取り付けられ、粘着テープから延びる摘まみ部が支持面と支持部品との接着部分からはみ出す。摘まみ部を摘まんで粘着テープを引っ張ることによって粘着テープを支持面から剥がして支持部品を支持面から外すことが可能となる。また、摘まみ部は粘着テープに対して折り曲げ可能とされており、物品を支持する支持部品は折り曲げられた摘まみ部を保持する保持部を有する。従って、保持部が折り曲げられた摘まみ部を保持することにより摘まみ部の露出を抑制できるので、摘まみ部が物品支持具の美観を損なう可能性を低減させることができると共に、摘まみ部を切られにくくすることができる。また、物品を支持する支持部品の保持部が折り曲げられた摘まみ部を保持するため、摘まみ部を隠すために別途部品を用意する必要がない。更に、摘まみ部を隠したり露出させたりするために移動する可動式の部品も必要ないため、構成を簡易にすることができる。
【０００９】
別の形態に係る物品支持具は、物品を支持する支持面に取り付けられる物品支持具であって、物品を支持する支持部品と、支持面に貼り付けられる保護シートと、保護シートに支持部品を貼り付ける粘着テープと、粘着テープから延びると共に保護シートと支持部品との接着部分からはみ出す摘まみ部と、を備え、摘まみ部は、粘着テープに対して折り曲げ可能とされており、支持部品は、折り曲げられた摘まみ部を保持する保持部を有する。
【００１０】
この形態に係る物品支持具では、摘まみ部は、粘着テープから延びると共に保護シートと支持部品との接着部分からはみ出す。そして、摘まみ部は粘着テープに対して折り曲げ可能とされており、物品を支持する支持部品は折り曲げられた摘まみ部を保持する保持部を有する。従って、保持部が摘まみ部を保持することによって摘まみ部の露出を抑制することができるので、摘まみ部が物品支持具の美観を損なう可能性を低減させることができ、摘まみ部を切られにくくすることができる。そして、前述の物品支持具と同様、構成を簡易にすることができる。更に、この物品支持具では、支持面に貼り付けられた保護シートに粘着テープが貼り付けられるので、粘着テープから支持面を保護することができる。
【００１１】
別の形態に係る物品支持具において、保持部は、折り曲げられた摘まみ部が挿入される挿入部を有し、挿入部に挿入された摘まみ部を保持してもよい。
【００１２】
別の形態に係る物品支持具において、支持部品は、粘着テープを備えるベース部と、物品を支持すると共にベース部に着脱可能とされたフック部と、を含んでおり、保持部は、ベース部に設けられていてもよい。
【００１３】
別の形態に係る物品支持具において、保持部は、ベース部の粘着テープとの反対側の面に設けられており、当該面と保持部との間に挿入された摘まみ部を保持してもよい。
【００１４】
別の形態に係る物品支持具において、支持部品は、一部品で構成されており、粘着テープを保持すると共に物品を支持してもよい。
【００１５】
本開示の一形態に係る支持部品は、物品を支持する支持面に取り付けられる支持部品であって、支持面に支持部品を貼り付ける粘着テープから延びており支持面と支持部品との接着部分からはみ出すと共に折り曲げられた摘まみ部を保持する保持部を備える。
【００１６】
前述した形態に係る支持部品は、物品を支持する支持面に粘着テープを介して取り付けられ、粘着テープからは、支持面と支持部品との接着部分からはみ出す摘まみ部が延び出している。また、摘まみ部は折り曲げ可能とされており、支持部品は折り曲げられた摘まみ部を保持する保持部を有する。従って、折り曲げられた摘まみ部を保持部が隠して保持することができるので、前述と同様、摘まみ部によって美観を損なう可能性を低減させることができると共に、摘まみ部を切られにくくすることができる。また、支持部品が保持部を有することにより、支持部品単体で摘まみ部を保持することができるので、摘まみ部を隠すための別部品を不要とすることができる。従って、前述と同様、部品点数を増やすことなく構成を簡易にすることができる。
【発明の効果】
【００１７】
本開示によれば、美観を損なう可能性を低減させることができると共に構成を簡易にすることができる。
【図面の簡単な説明】
【００１８】
【図１】実施形態に係る物品支持具の一例を示す正面図である。
【図２】図１の物品支持具の粘着テープ及び摘まみ部と、保護シートと、支持面との層構造を模式的に示す図である。
【図３】実施形態に係る支持部品及び保護シートを示す正面図である。
【図４】図２の支持部品と保護シートとの接着部分から延びる摘まみ部が保持された状態を示す正面図である。
【図５】変形例に係る支持部品のフック部の表面を示す斜視図である。
【図６】図５のフック部の裏面を示す斜視図である。
【図７】図５の支持部品のベース部を示す斜視図である。
【図８】（ａ），（ｂ）及び（ｃ）は、図５の物品支持具の取付方法の各工程の一例を示す図である。
【図９】（ａ），（ｂ），（ｃ）及び（ｄ）は、保護シートを備える物品支持具の取付方法の各工程の一例を示す図である。
【図１０】別の変形例に係る支持部品を示す斜視図である。
【図１１】図１０の支持部品を図１０とは異なる方向から見た斜視図である。
【図１２】図１１の支持部品の保持部、粘着テープ及び摘まみ部を示す斜視図である。
【図１３】更に別の変形例に係る支持部品を示す斜視図である。
【図１４】図１３の支持部品を図１３とは異なる方向から見た斜視図である。
【図１５】図１４の支持部品の保持部、粘着テープ及び摘まみ部を示す斜視図である。
【図１６】更に別の変形例に係る支持部品の保持部及び摘まみ部を示す斜視図である。
【図１７】更に別の変形例に係る支持部品の保持部及び摘まみ部を示す正面図である。
【発明を実施するための形態】
【００１９】
以下では、添付図面を参照しながら本開示に係る物品支持具及び支持部品を実施するための形態について詳細に説明する。図面の説明において同一又は相当する要素には同一の符号を付し、重複する説明を適宜省略する。また、図面は、理解の容易のため、一部を簡略化又は誇張して描いている場合があり、寸法比率等は図面に記載のものに限定されない。まず、本明細書における用語「物品」は、支持面に支持される物を示しており、例えば、ハンガー等のフック状の物、及びキーホルダー等の輪状又は紐状の物を含んでいる。「支持面」は、物品が支持される面を示しており、例えば、壁紙が貼り付けられた面、屋内又は屋外における壁等の面、棚又はキャビネット等の設備の面、天井面及び床面を含む。「物品支持具」は、物品を支持面に支持する物を示している。「支持部品」は、物品支持具における物品を支持する部品を示しており、例えば、物品が吊り下げられるフックを含む。
【００２０】
「粘着テープ」は、支持部品と支持面との間に設けられる粘着性を備えたテープ部材であって、支持面を保護する機能を有していてもよい。「摘まみ部」は、粘着テープから延びると共に支持面に対する支持部品の接着部分からはみ出す部位であって、指等によって摘ままれる部位である。「摘まみ部が折り曲げ可能」とは、粘着テープから延びる摘まみ部が粘着テープに対して折り曲げ可能であることを示している。「摘まみ部を保持する保持部」とは、摘まみ部を動かないように摘まみ部の位置を一定箇所に固定する部分を示している。
【００２１】
「粘着テープを備えるベース部」とは、粘着テープが貼り付けられる支持部品のベースとなる部分を示している。「フック部」とは、物品を支持するフック状の部分を示しており、例えば、ベース部から見て支持面の反対側に取り付けられるフックを備えた部分を含んでいる。「支持面に貼り付けられる保護シート」とは、支持面を保護するシートを示しており、例えば、支持面に対する粘着性が低いことによって剥がされても支持面を傷めないシートを含んでいる。
【００２２】
図１は、実施形態に係る物品支持具を示す正面図である。図２は、図１の物品支持具の粘着テープ、保護シート及び支持面の層構造の例を示す図である。図１及び図２に示されるように、本実施形態に係る物品支持具１は、物品を支持する支持部品２と、支持部品２の支持面Ｗ側に設けられる粘着テープ３と、粘着テープ３及び支持面Ｗの間に介在する低粘着性の保護シート４とを備える。粘着テープ３は、支持部品２の裏面（支持面Ｗ側を向く面）に貼り付けられる。すなわち、粘着テープ３は、支持部品２の後述するベース部２ｂ（図３参照）の裏面に貼り付けられる。粘着テープ３は、例えば、延伸性両面テープである。粘着テープ３は、基材層３ｂと、基材層３ｂを挟み込む一対の粘着剤層３ｃ，３ｄとを備える。基材層３ｂは、例えば、発泡体によって構成されており、ポリマー発泡によって構成されてもよい。ポリマー発泡としては、ポリウレタンフォーム、ポリオレフィンフォーム（例えば、ポリエチレンフォーム、ポリプロピレンフォーム）、又はアクリルフォーム等が挙げられる。
【００２３】
粘着剤層３ｄは支持部品２と基材層３ｂの間に設けられる層であり、粘着剤層３ｃは保護シート４と基材層３ｂの間に設けられる層である。粘着剤層３ｃ及び粘着剤層３ｄは、例えば、感圧接着剤（ＰＳＡ）によって構成されている。粘着剤層３ｃ及び粘着剤層３ｄのそれぞれは、保護シート４及び支持部品２のそれぞれに貼り付けられる。基材層３ｂには指等によって引っ張られる摘まみ部７が設けられており、摘まみ部７が粘着テープ３と平行な方向（支持面Ｗの面内方向）に引っ張られることによって支持部品２を保護シート４から剥離することが可能である。
【００２４】
保護シート４は、粘着テープ３と支持面Ｗの間に介在する。保護シート４は、例えば、透明なシートである。保護シート４は、支持面Ｗに接触して貼り付けられる粘着剤層４ｂと、粘着剤層４ｂの支持面Ｗとの反対側に設けられる基材層４ｃとを備える。保護シート４は、例えば、支持面Ｗに直接貼り付けられる。例えば、保護シート４のステンレス鋼板（ＳＵＳ３０４ＢＡ）に対する９０度接着力は４．０Ｎ／１２ｍｍである。なお、ステンレス鋼板に対する９０度接着力は、ステンレス鋼板から保護シート４が９０度方向に捲られて剥離されるときに、保護シート４がステンレス鋼板から剥がれることを抑制可能な接着力を示している。本実施形態では、ステンレス鋼板に対する保護シート４の９０度方向接着力が小さいことにより、支持面Ｗから保護シート４が剥がされるときに生じる支持面Ｗの破れを抑制することが可能である。なお、支持面Ｗの破れを抑制する観点ではステンレス鋼板に対する保護シート４の９０度方向接着力は小さいほど好ましい。
【００２５】
基材層４ｃは、例えば、ポリエチレンテレフタレート、紙、又は布等によって構成される。粘着剤層４ｂは、例えば、感圧接着剤（ＰＳＡ）によって構成されている。保護シート４の粘着剤層４ｂが貼り付けられる支持面Ｗは、例えば、壁紙Ｐの表面である。例えば、保護シート４の形状は長方形状とされている。しかしながら、保護シート４の形状は、円形状等であってもよく、適宜変更可能である。支持面Ｗは、一例として、基材Ｐ１と、基材Ｐ１の一方の面に設けられた発泡ポリ塩化ビニル層Ｐ２とを備える。発泡ポリ塩化ビニル層Ｐ２の表面が支持面Ｗに相当し、支持面Ｗを成す発泡ポリ塩化ビニル層Ｐ２に保護シート４の粘着剤層４ｂが貼り付けられる。支持面Ｗには、例えば、微小な凹凸が形成されており、仮に粘着テープ３の粘着剤層３ｃが直接支持面Ｗに貼り付けられた場合、支持面Ｗから粘着剤層３ｃが剥がされるときに支持面Ｗを傷つける可能性がある。そこで、本例では、支持面Ｗを保護するシートとして保護シート４が設けられている。
【００２６】
なお、支持面Ｗの構成は、基材Ｐ１及び発泡ポリ塩化ビニル層Ｐ２を有する壁紙Ｐに限られず適宜変更可能である。支持面Ｗは、例えば、タイル、プラスチック又はステンレス等によって構成されていてもよい。この場合、粘着テープ３の粘着剤層３ｃが直接支持面Ｗに貼り付けられても支持面Ｗを傷つける可能性が低いので、保護シート４を不要とすることが可能である。
【００２７】
図１、図３及び図４に示されるように、支持部品２は、粘着テープ３を備えるベース部２ｂと、物品を支持すると共にベース部２ｂに着脱可能とされたフック部２ｃとを備える。図３は、図１の支持部品２からフック部２ｃが外されたベース部２ｂ、摘まみ部７及び保護シート４を示す正面図である。図４は、図３の摘まみ部７が折り曲げられて保持された状態を示している。摘まみ部７は、保持されていない状態では、粘着テープ３から延びると共に保護シート４（又は支持面Ｗ）と支持部品２との接着部分からはみ出している。
【００２８】
フック部２ｃは、例えば、円形状の基部２ｊと、基部２ｊの下部中央から突出する引掛部２ｋとを有する。引掛部２ｋは基部２ｊから突出すると共に上方に湾曲して延びており、フック部２ｃは引掛部２ｋに物品が引っ掛けられることによって当該物品を支持する。ベース部２ｂは、例えば、縦長に延びる長方形状を成している。ベース部２ｂは、縦方向に延びる一対の側部２ｄと、一対の側部２ｄの下端において横方向に延びる下部２ｆと、一対の側部２ｄの上端において横方向に延びると共に各側部２ｄから離れるに従って上方に湾曲する上部２ｇとを有する。
【００２９】
ベース部２ｂは、粘着テープ３との反対側の面２ｈに、折り曲げられた摘まみ部７を保持する保持部６を有する。保持部６は、例えば、ベース部２ｂの粘着テープ３との反対側の面２ｈから突出する一対のリブ部６ｂと、一対のリブ部６ｂの突出端において板状に延在する板状部６ｃとを有する。ベース部２ｂの面２ｈ、下側に位置するリブ部６ｂ、及び板状部６ｃの間には折り曲げられた摘まみ部７が挿入される挿入部６ｄが形成されており、保持部６は挿入部６ｄに挿入された摘まみ部７を挟み込んで保持する。すなわち、保持部６は、ベース部２ｂの面２ｈと板状部６ｃとによって画成された挿入部６ｄに挿入された摘まみ部７を挟み込んで保持する。「摘まみ部を挟み込んで保持する」とは、折り曲げられて挿入部に挿入された摘まみ部が、挿入部を画成する内面（例えば、板状部６ｃの内面）に挟まれて外れない状態を示している。
【００３０】
以上、支持部品２の形状について説明したが、支持部品の形状は前述の例に限られず適宜変更可能である。図５は、別の例に係る支持部品１２のフック部１２ｃを示す斜視図である。図６は、フック部１２ｃを図５とは異なる方向から見た斜視図である。図７は、支持部品１２のベース部１２ｂを示す斜視図である。図５、図６及び図７に示されるように、フック部１２ｃは、例えば、ベース部１２ｂを覆う円形状の蓋部１２ｊと、蓋部１２ｊの表面１２ｎから突出する引掛部１２ｋとを有する。引掛部１２ｋは、蓋部１２ｊから柱状に突出する基部１２ｄと、基部１２ｄの蓋部１２ｊとの反対側の端部において円形状に拡張する拡張部１２ｍとを有する。フック部１２ｃは、ベース部１２ｂを覆うカバーであると共に、基部１２ｄ及び拡張部１２ｍに物品が引っ掛けられることによって当該物品を支持する。
【００３１】
フック部１２ｃの裏側には、縦方向に延びると共に左右一対に設けられる第１リブ１２ｐと、一対の第１リブ１２ｐの両端側において縦方向に延びる一対の第２リブ１２ｑと、一対の第１リブ１２ｐ同士を接続すると共にベース部１２ｂに係止される係止部１２ｒとが形成されている。蓋部１２ｊの底面１２ｓに対する各第２リブ１２ｑの高さは底面１２ｓに対する各第１リブ１２ｐの高さよりも高い。一対の第２リブ１２ｑの間の距離Ｄ１はベース部１２ｂの幅Ｂ１より若干長い程度とされており、一対の第２リブ１２ｑの間にベース部１２ｂが入り込む。
【００３２】
係止部１２ｒは、一対の第１リブ１２ｐ同士を接続する接続部１２ｔと、接続部１２ｔの下端から上方に延びると共に左右方向に沿って配置された一対のスリット１２ｖと、一対のスリット１２ｖの間に位置する板状部１２ｗとを有する。板状部１２ｗは、蓋部１２ｊの底面１２ｓから離間していると共に、底面１２ｓの反対側に突出する係止突起１２ｘを有する。板状部１２ｗは、一対のスリット１２ｖの間に形成されることにより、接続部１２ｔにおいて撓む部位とされている。
【００３３】
ベース部１２ｂは、粘着テープ３との反対側の面１２ｈに、折り曲げられた摘まみ部７を保持する保持部１６を有する。保持部１６は、例えば、ベース部１２ｂの粘着テープ３との反対側の面１２ｈから突出するリブ部１６ｂと、リブ部１６ｂの突出端において板状に延在する板状部１６ｃとを有する。ベース部１２ｂの面１２ｈ、リブ部１６ｂ及び板状部１６ｃで構成された空間（隙間）には折り曲げられた摘まみ部７が挿入される挿入部１６ｄが形成されており、保持部１６は挿入部１６ｄに挿入された摘まみ部７を挟み込んで保持する。すなわち、保持部１６は、ベース部１２ｂの面１２ｈと板状部１６ｃとの間に形成された挿入部１６ｄに摘まみ部７を挟み込んで保持する。
【００３４】
ベース部１２ｂの面１２ｈには、フック部１２ｃの板状部１２ｗが係合する係合突起１２ｙ及び係合凹部１２ｚが形成されている。板状部１２ｗは、ベース部１２ｂの面１２ｈ、リブ部１６ｂの上面１６ｆ、及び板状部１６ｃの間に入り込む。そして、板状部１２ｗの係止突起１２ｘが係合突起１２ｙを下方に乗り越えて係合凹部１２ｚに嵌まることにより、ベース部１２ｂにフック部１２ｃが取り付けられる。
【００３５】
次に、物品支持具１を支持面Ｗに取り付ける方法の手順の例について図８及び図９を参照しながら説明する。図８は、保護シート４を有しない物品支持具１の取り付け手順を示す図である。図９は、保護シート４を有する物品支持具１の取り付け手順を示す図である。保護シート４を有しない物品支持具１の場合、図８（ａ）に示されるように、ベース部１２ｂの面１２ｈとは反対側を向く裏面に粘着テープ３を貼り付け、摘まみ部７をベース部１２ｂの下方にはみ出す状態とする。
【００３６】
次に、図８（ｂ）に示されるように、ベース部１２ｂから下方にはみ出す摘まみ部７を上方に折り曲げ、折り曲げた摘まみ部７を保持部１６の挿入部１６ｄに挿入し、保持部１６によって摘まみ部７を挟み込んで保持する。その後、図８（ｃ）に示されるように、フック部１２ｃの裏側をベース部１２ｂに向けて、フック部１２ｃの板状部１２ｗを板状部１６ｃと面１２ｈの間に上から入り込ませて係止突起１２ｘを係合凹部１２ｚに嵌めることにより、ベース部１２ｂにフック部１２ｃを取り付ける。
【００３７】
保護シート４を有する物品支持具１の場合、図９（ａ）に示されるように、予め粘着テープ３が貼り付けられた保護シート４を支持面Ｗに貼り付ける。図９（ｂ）に示されるように、摘まみ部７が下方にはみ出す状態としてベース部１２ｂを粘着テープ３に貼り付ける。その後、図９（ｃ）及び図９（ｄ）に示されるように、保護シート４とベース部１２ｂとの間の接着部分から下方にはみ出す摘まみ部７を上方に折り曲げる。そして、前述と同様、折り曲げた摘まみ部７を保持部１６の挿入部１６ｄに挿入して保持部１６が摘まみ部７を挟み込んで保持した状態としてベース部１２ｂにフック部１２ｃを取り付ける。
【００３８】
次に、物品支持具１の作用効果について説明する。
【００３９】
保護シート４を有しない物品支持具１では、物品を支持する支持面Ｗに粘着テープ３を介して支持部品１２が取り付けられ、粘着テープ３から延びる摘まみ部７が支持面Ｗと支持部品１２との接着部分からはみ出す。摘まみ部７を摘まんで粘着テープ３を下方に引っ張ることによって粘着テープ３を支持面Ｗから剥がして支持部品１２を支持面Ｗから外すことが可能となる。また、摘まみ部７は粘着テープ３に対して折り曲げ可能とされており、物品を支持する支持部品１２は折り曲げられた摘まみ部７を保持する保持部１６を有する。従って、保持部１６が折り曲げられた摘まみ部７を保持することにより摘まみ部７の露出を抑制できるので、摘まみ部７が物品支持具１の美観を損なう可能性を低減させることができると共に、摘まみ部７を切られにくくすることができる。また、物品を支持する支持部品１２の保持部１６が折り曲げられた摘まみ部７を保持するため、摘まみ部７を隠すために別途部品を用意する必要がない。更に、摘まみ部７を隠したり露出させたりするために移動する可動式の部品も必要ないため、構成を簡易にすることができる。
【００４０】
保護シート４を有する物品支持具１では、摘まみ部７は、粘着テープ３から延びると共に保護シート４と支持部品１２との接着部分からはみ出す。そして、摘まみ部７は粘着テープ３に対して折り曲げ可能とされており、物品を支持する支持部品１２は折り曲げられた摘まみ部７を保持する保持部１６を有する。従って、保持部１６が摘まみ部７を保持することによって摘まみ部７の露出を抑制することができるので、摘まみ部７が物品支持具１の美観を損なう可能性を低減させることができ、摘まみ部７を切られにくくすることができる。そして、前述と同様、構成を簡易にすることができる。更に、保護シート４を備える物品支持具１では、支持面Ｗに貼り付けられた保護シート４に粘着テープ３が貼り付けられるので、粘着テープ３から支持面Ｗを保護することができる。
【００４１】
物品支持具１において、保持部１６は、折り曲げられた摘まみ部７が挿入される挿入部１６ｄを有し、挿入部１６ｄに挿入された摘まみ部７を保持してもよい。この場合、折り曲げた摘まみ部７を挿入部１６ｄに挿入して保持することができるので、摘まみ部７を保持するための構成を簡易にすることができる。
【００４２】
物品支持具１において、支持部品１２は、粘着テープ３を備えるベース部１２ｂと、物品を支持すると共にベース部１２ｂに着脱可能とされたフック部１２ｃと、を含んでおり、保持部１６は、ベース部１２ｂに設けられていてもよい。この場合、物品を支持するフック部１２ｃがベース部１２ｂに対して着脱可能とされており、粘着テープ３を備えるベース部１２ｂに摘まみ部７を保持する保持部１６が設けられている。従って、フック部１２ｃをベース部１２ｂに取り付ける前に、ベース部１２ｂに設けられた保持部１６に摘まみ部７を保持することが可能であり、摘まみ部７を保持した状態でフック部１２ｃをベース部１２ｂに取り付けることが可能となる。よって、ベース部１２ｂの保持部１６に摘まみ部７を保持してフック部１２ｃを取り付けることができるので、支持面Ｗに対する物品支持具１の取付作業を容易に行うことができる。
【００４３】
物品支持具１において、保持部１６は、ベース部１２ｂの粘着テープ３との反対側の面１２ｈに設けられており、当該面１２ｈと保持部１６との間に挿入された摘まみ部７を保持してもよい。この場合、ベース部１２ｂの粘着テープ３との反対側の面１２ｈに保持部１６が設けられており、当該面１２ｈと保持部１６との間に摘まみ部７が挿入される。従って、粘着テープ３から延びる摘まみ部７をベース部１２ｂの表側に位置する面１２ｈに折り曲げて、折り曲げた摘まみ部７を保持部１６と当該面１２ｈとの間に挟み込むことができる。以上より、摘まみ部７の保持を容易に行うことができる。
【００４４】
次に、変形例に係る物品支持具２１について図１０、図１１及び図１２を参照しながら説明する。図１０、図１１及び図１２に示されるように、変形例に係る物品支持具２１は一部品で構成された支持部品２２を備え、支持部品２２は粘着テープ３を保持すると共に物品を支持する。以降の説明では、前述した物品支持具１と重複する説明を適宜省略する。
【００４５】
支持部品２２は、粘着テープ３が貼り付けられると共に長手方向Ｈ１に延びる板状部２２ｂと、板状部２２ｂの長手方向Ｈ１の一端から突出する引掛部２２ｃとを有する。引掛部２２ｃは、板状部２２ｂの表面２２ｄ（支持面Ｗの反対側を向く面）から突出しており、表面２２ｄから離れるに従って上方に湾曲する。支持部品２２の裏面２２ｆ（支持面Ｗ側を向く面）には粘着テープ３が貼り付けられ、支持部品２２は粘着テープ３を介して支持面Ｗに取り付けられる。
【００４６】
裏面２２ｆの長手方向Ｈ１の一端側（引掛部２２ｃ側、又は下側）には粘着テープ３から延びる摘まみ部７が保持する保持部２６が設けられる。例えば、保持部２６は、摘まみ部７が挿入される挿入部とされており、裏面２２ｆから窪むと共に引掛部２２ｃの内部に形成された穴２６ｂを有する。摘まみ部７は、粘着テープ３に対してＬ字状に（約９０°）曲げられた状態で穴２６ｂに挿入され、穴２６ｂの内面に挟み込まれた状態で保持される。すなわち、保持部２６は、折り曲げられた摘まみ部７が元に戻る反力によって摘まみ部７が穴２６ｂの内面に当接した状態で摘まみ部７を保持する。また、支持部品２２の長手方向Ｈ１の一端には、穴２６ｂに連通すると共に摘まみ部７の一部を下方に露出する切り欠き２２ｇが形成されている。板状部２２ｂには事前に粘着テープ３が貼り付けられる。そして、粘着テープ３は、摘まみ部７が保持部２６に挿入された後に支持面Ｗに貼り付けられる。
【００４７】
以上、物品支持具２１では、支持面Ｗに粘着テープ３を介して支持部品２２が取り付けられ、粘着テープ３から延びると共に支持面Ｗと支持部品２２との接着部分から摘まみ部７がはみ出す。この摘まみ部７を摘まんで粘着テープ３を引っ張ることによって粘着テープ３を支持面Ｗから剥がして支持部品２２を支持面Ｗから外すことが可能である。また、摘まみ部７は粘着テープ３に対して折り曲げ可能とされており、支持部品２２は折り曲げられた摘まみ部７を保持する保持部２６を有する。従って、保持部２６により、折り曲げられた摘まみ部７を隠れるように保持することができるので、前述の物品支持具１と同様の効果が得られる。また、物品支持具２１において、支持部品２２は、一部品で構成されており、粘着テープ３を保持すると共に物品を支持する。従って、支持部品２２が一部品で構成されるので、構成を更に簡易にすることができる。
【００４８】
別の変形例に係る物品支持具３１について図１３、図１４及び図１５を参照しながら説明する。物品支持具３１は一部品で構成された支持部品３２を備える。支持部品３２は、粘着テープ３が貼り付けられる裏面３２ｄを有する矩形状の板状部３２ｂと、板状部３２ｂの端面３２ｃから裏面３２ｄの反対側に突出する引掛部３２ｆとを有する。引掛部３２ｆは、例えば、板状部３２ｂの表面３２ｇから突出する第１突出部３２ｈと、第１突出部３２ｈの突出端から斜め上方に延びる第２突出部３２ｊとを有する。支持部品３２の端面３２ｃ及び裏面３２ｄには、粘着テープ３から延びる摘まみ部７が保持される保持部３６が設けられる。例えば、保持部３６は、端面３２ｃ及び裏面３２ｄのそれぞれから窪むと共に板状部３２ｂの内部に形成された穴３６ｂを有する。摘まみ部７は、粘着テープ３に対してＵ字状に（約１８０°）曲げられた状態で穴３６ｂに挿入されて保持される。このとき、保持部３６は、折り曲げられた摘まみ部７が穴３６ｂの内面に当接した状態とすることにより、摘まみ部７を挟み込んで保持する。
【００４９】
以上、物品支持具３１では、摘まみ部７が粘着テープ３から延びると共に支持面Ｗと支持部品３２との接着部分からはみ出し、この摘まみ部７を摘まんで粘着テープ３を引っ張ることによって粘着テープ３を支持面Ｗから剥がして支持部品３２を支持面Ｗから外すことができる。そして、支持部品３２は、折り曲げられた摘まみ部７を保持する保持部３６を有する。従って、保持部３６により、折り曲げられた摘まみ部７を隠れるように保持することができるので、前述した物品支持具２１と同様の効果が得られる。
【００５０】
以上、本開示に係る物品支持具の実施形態について例示した。しかしながら、本発明は前述した実施形態に限定されるものではない。本発明は、特許請求の範囲に記載した要旨を変更しない範囲において種々の変形が可能である。例えば、前述したように、物品支持具を構成する各部の形状、大きさ、数、材料及び配置態様は適宜変更可能である。
【００５１】
例えば、前述の実施形態では、摘まみ部７を保持する保持部６がベース部２ｂに設けられる例について説明した。しかしながら、摘まみ部を保持する保持部の位置及び構成は適宜変更可能である。例えば、保持部は、フック部の外面部に設けられていてもよいし、摘まみ部自体が視認可能とされた状態で摘まみ部を保持してもよい。更に、保持部は、挿入部を有しなくてもよく、挿入以外の態様（例えば貼り付け等）によって摘まみ部を保持してもよい。
【００５２】
また、前述の実施形態では、ベース部２ｂ及びフック部２ｃを備える支持部品２について説明したが、ベース部及びフック部の形状は更に変形可能である。例えば、図１６に示されるように、ベース部４０は、外縁にリブ４２ｂ及び切り欠き４２ｃを有する円形状の基部４２と、表面４２ｄに形成された保持部４６とを有していてもよい。この場合、ベース部４０の裏面（表面４２ｄの反対側の面）に貼り付けられた粘着テープから延びる摘まみ部７が表面４２ｄ側に折り曲げられて切り欠き４２ｃに入り込む。保持部４６は、摘まみ部７が挿入される挿入部４６ｂを有し、切り欠き４２ｃに入り込むと共に挿入部４６ｂに挿入された摘まみ部７を挟み込んで保持する。挿入部４６ｂは、例えば、下端に開口する穴である。
【００５３】
図１７に示されるように、ベース部６０は、外縁に複数の係止部６２ｂ及び切り欠き６２ｃを有する円形状の基部６２と、表面６２ｄに形成された保持部６６とを有していてもよい。係止部６２ｂは、例えば、切り欠き６２ｆと、切り欠き６２ｆ及び表面６２ｄに対向する板状部６２ｇとを含む。係止部６２ｂは、ベース部６０に取り付けられるフック部が基部６２の周方向に回転したときに当該フック部の一部を表面６２ｄと板状部６２ｇとの間に挟み込むことによってフック部を係止する。
【００５４】
摘まみ部７は、ベース部６０の裏面に貼り付けられた粘着テープから延びると共に表面６２ｄ側に折り曲げられて切り欠き６２ｃに入り込む。保持部６６は、摘まみ部７が挿入される挿入部６６ｂを有し、切り欠き６２ｃに入り込むと共に挿入部６６ｂに挿入された摘まみ部７を挟み込んで保持する。保持部６６は、例えば、表面６２ｄから突出すると共に下方に折り曲げられた板状とされており、保持部６６の当該板状の部分と表面６２ｄとの間が挿入部６６ｂとされている。以上、ベース部の変形例について説明したが、フック部、及び一部品で構成される支持部品の形状、大きさ及び材料等についても適宜変更可能である。
【符号の説明】
【００５５】
１，２１，３１…物品支持具、２，２２，３２…支持部品、２ｂ…ベース部、２ｃ…フック部、２ｄ…側部、２ｈ…面、２ｊ…基部、２ｋ…引掛部、３…粘着テープ、３ｂ…基材層、３ｃ…粘着剤層、３ｄ…粘着剤層、４…保護シート、４ｂ…粘着剤層、４ｃ…基材層、６，１６，２６，３６，４６，６６…保持部、６ｂ…リブ部、６ｃ…板状部、６ｄ…挿入部、７…摘まみ部、１２…支持部品、１２ｂ…ベース部、１２ｃ…フック部、１２ｄ…基部、１２ｈ…面、１２ｊ…蓋部、１２ｋ…引掛部、１２ｍ…拡張部、１２ｎ…表面、１２ｐ…第１リブ、１２ｑ…第２リブ、１２ｒ…係止部、１２ｓ…底面、１２ｔ…接続部、１２ｖ…スリット、１２ｗ…板状部、１２ｘ…係止突起、１２ｙ…係合突起、１２ｚ…係合凹部、１６ｂ…リブ部、１６ｃ…板状部、１６ｄ…挿入部、１６ｆ…上面、２２ｂ…板状部、２２ｃ…引掛部、２２ｄ…表面、２２ｆ…裏面、２２ｇ…切り欠き、２６ｂ…穴、３１…物品支持具、３２…支持部品、３２ｂ…板状部、３２ｃ…端面、３２ｄ…裏面、３２ｆ…引掛部、３２ｇ…表面、３２ｈ…第１突出部、３２ｊ…第２突出部、３６ｂ…穴、４０，６０…ベース部、４２…基部、４２ｂ…リブ、４２ｃ…切り欠き、４２ｄ…表面、４６ｂ…挿入部、６２…基部、６２ｂ…係止部、６２ｃ…切り欠き、６２ｄ…表面、６２ｆ…切り欠き、６２ｇ…板状部、６６ｂ…挿入部、Ｂ１…幅、Ｄ１…距離、Ｈ１…長手方向、Ｐ…壁紙、Ｐ１…基材、Ｐ２…発泡ポリ塩化ビニル層、Ｗ…支持面。
【図１】
2020174915.tif 000003
【図２】
2020174915.tif 000004
【図３】
2020174915.tif 000005
【図４】
2020174915.tif 000006
【図５】
2020174915.tif 000007
【図６】
2020174915.tif 000008
【図７】
2020174915.tif 000009
【図８】
2020174915.tif 000010
【図９】
2020174915.tif 000011
【図１０】
2020174915.tif 000012
【図１１】
2020174915.tif 000013
【図１２】
2020174915.tif 000014
【図１３】
2020174915.tif 000015
【図１４】
2020174915.tif 000016
【図１５】
2020174915.tif 000017
【図１６】
2020174915.tif 000018
【図１７】
2020174915.tif 000019